(57)【要約】　　　（修正有）【目的】組み立て分解手順の規制を緩和し、さらに部品点数を減らすことを目的とするプリント配線基板設置用ねじ及びプリント配線基板設置構造。【構成】プリント配線基板を接地するねじに於いて、雌ねじ部と雄ねじ部の間に、プリント配線基板の部品接地面に対し平行な支持面を設けた。また、プリント配線基板設置用ねじに於いて、前記支持面は前記プリント配線基板の一部を支持する面積を有する。【選択図】図１
2004119825.tif 000002
【特許請求の範囲】
【請求項１】
プリント配線基板を接地するねじに於いて、
雌ねじ部と雄ねじ部の間に、
プリント配線基板の部品接地面に対し平行な支持面を設けたことを特徴とする
プリント配線基板設置用ねじ。
【請求項２】
請求項１記載のプリント配線基板設置用ねじに於いて、
前記支持面は前記プリント配線基板の一部を支持する面積を有する
ことを特徴とするプリント配線基板設置用ねじ。
【請求項３】
請求項１乃至２記載のプリント配線基板設置用ねじにおいて、
雌ねじ部と雄ねじ部の間に、
プリント配線基板の部品接地面に対し平行な抑え面を設け、前記抑え面は前記支持面の上部に設けたことを特徴とするプリント配線基板設置用ねじ。
【請求項４】
請求項１乃至３記載のプリント配線基板設置用ねじにおいて、
前記支持面と抑え面の間隔は、プリント配線基板の厚みとほぼ同様の間隔であることを特徴とするプリント配線基板設置用ねじ。
【請求項５】
請求項１乃至４に記載のプリント配線基板設置用ねじの支持面に接地するプリント配線基板は、
端部の一部が欠けている切り欠き部を有し、
前記欠け部は前記支持面より小さいことをを特徴とする
プリント配線基板組み立て構造。
【発明の詳細な説明】
【０００１】
【発明の属する技術分野】
本発明は、プリント配線基板の組立を行う際に用いるねじ、また前記ねじを利用したプリント配線基板組み立て構造に関するものである。
【０００２】
【従来の技術】
従来、多数の部品を１つの装置に搭載するために、プリント基板を重ねてる方法を用いていた（例えば、特許文献１参照）。
さらにお、具体的に従来の技術を図３、図４、図５を用いて説明する。
図３は、従来のプリント配線基板設置用ねじである。
従来のプリント配線基板設置用ねじは、雌ねじ部３１と雄ねじ部３２を有している。この図３のプリント配線基板設置用ねじを用いたプリント配線基板の設置例を図４、図５を用いて説明する。
【０００３】
図４は図３のプリント配線基板設置用ねじを用いたプリント配線基板の設置例である。４１はプリント配線基板を設置するベース部、４２は設置される第一のプリント配線基板、４３は第一のプリント配線基板２と違う高さに設置される第二のプリント配線基板、４５は第二のプリント配線基板を設置する第二のプリント配線基板設置用ねじ、４４は第一のプリント配線基板を設置する第一のプリント配線基板設置用ねじ、４６はプリント配線基板を固定する固定用雄ねじである。
【０００４】
図４（ａ）では、設置高さの違う第一のプリント配線基板４２と第二のプリント配線基板４３を、ベース部４１に設ける。このとき、ベース部４１には、高さの違う第一のプリント配線基板設置用ねじ４４と第二のプリント配線基板設置用ねじ４５を、設置するプリント配線基板単位で設ける。つまり、第一のプリント配線基板４２を設置するためにはプリント配線基板設置用ねじ４４のみを用い、第二のプリント配線基板４３を設置するためにはプリント配線基板設置用ねじ４５のみを用いて、それぞれ設置高さの違うプリント配線基板を設置し、図４（ｂ）のような形で設置される。
【０００５】
しかしながらこのような構造であると、プリント配線基板単位で面積を取ってしまうため、面積を取りすぎるという問題があった。また、組み立て・分解作業をする上で、部品点数が多いため、作業が繁雑であった。
【０００６】
これらの問題を解決するために従来では図５のような構成でプリント配線基板の組立を行っていた。
図５について説明する。図５も図４と同様に、設置高さの違うプリント配線基板を設置する。図４と違うところは、プリント配線基板設置用ねじを、基板単位に設けていないことにある。
【０００７】
図５について、図４と同様の番号のものは、図４と同様の物であるため、説明を省略する。４は第三のプリント配線基板設置用ねじである。
ベース部４１には高さの低い第二のプリント配線基板設置用ねじ４５を、第一のプリント配線基板４２を支持する箇所、具体的には第一のプリント配線基板４２と第二のプリント配線基板４３が重なる箇所に設ける。第二のプリント配線基板４３は、図４と同様に、プリント配線基板設置用ねじ４５により支持され設ける。さらに、第一のプリント配線基板を設ける箇所に設けられた第二のプリント配線基板設置用ねじ４５の上部に、第三のプリント配線基板設置用ねじ４を設ける。第一のプリント配線基板４２は、第一のプリント配線基板設置用ねじ４４と第三のプリント配線基板設置用ねじ４により支持され、さらに図４と同様に固定用雄ねじ４６により固定される。
【０００８】
このとき、第三のプリント配線基板用設置ねじ５１の高さと、第二のプリント配線基板用設置ねじ４５の高さと、第二のプリント配線基板４３の厚みを足したものが、第一のプリント配線基板設置用ねじ４４の高さとほぼ同一になるように注意しなくてはならない。
【０００９】
【特許文献１】
特開平１１−３５５０３３号公報（２頁、図６、図７）
【００１０】
【発明が解決しようとする課題】
このようにして、設置面積の削減が可能となる。
しかしながら、図５のような方法の場合、第一と第二のプリント配線基板が重なる箇所は、最初に第二のプリント配線基板設置用ねじ４５を設け、次に第二のプリント配線基板４３を設置し、次に第三のプリント配線基板設置用ねじ５１を設けなくてはならず、組み立て分解手順に規制があった。
また、設置面積は減ったものの、プリント配線基板設置用ねじの部品点数は変わらなかった。
【００１１】
そこで、本発明は、上記の問題を解決するプリント配線基板設置用ねじを提供することを目的とする。
さらに、上記プリント配線基板設置用ねじを有するプリント配線基板組み立て構造を提供することを目的とする。
【００１２】
【課題を解決するための手段】
上記目的を達成するために、プリント配線基板を接地するねじに於いて、雌ねじ部と雄ねじ部の間に、プリント配線基板の部品接地面に対し平行な支持面を設けたことを特徴とするプリント配線基板設置用ねじを提供する。
【００１３】
また、上記目的を達成するために、プリント配線基板設置用ねじに於いて、前記支持面は前記プリント配線基板の一部を支持する面積を有することを特徴とするプリント配線基板設置用ねじを提供する。
【００１４】
上記目的を達成するために、プリント配線基板設置用ねじにおいて、雌ねじ部と雄ねじ部の間に、プリント配線基板の部品接地面に対し平行な抑え面を設け、前記抑え面は前記支持面の上部に設けたことを特徴とするプリント配線基板設置用ねじを提供する。
【００１５】
上記目的を達成するために、プリント配線基板設置用ねじにおいて、前記支持面と抑え面の間隔は、プリント配線基板の厚みとほぼ同様の間隔であることを特徴とするプリント配線基板設置用ねじ。
【００１６】
上記目的を達成するために、プリント配線基板設置用ねじの支持面に接地するプリント配線基板は、端部の一部が欠けている切り欠き部を有し、前記欠け部は前記支持面より小さいことをを特徴とするプリント配線基板組み立て構造を提供する。
【００１７】
【発明の実施の形態】
次に、本発明の実施の形態について、図面を参照しながら説明する。
図１は本発明の第一のプリント配線基板設置用ねじであり、図２は本発明のプリント配線基板設置用ねじを利用した組み立て構造である。
【００１８】
図１は本発明の第一のプリント配線基板設置用ねじである。
雌ねじ部１１、基板を抑える働きをする抑え面１２、基板を支持する支持面１３、雄ねじ部１４から構成される。
【００１９】
抑え面１２と支持面１３は雌ねじ部１１と雄ねじ部１４の間に設けられている。また、抑え面１２は支持面１３の上部に設けられている。
ここでは上から雌ねじ部１１、抑え面１２、支持面１３、雄ねじ部１４との記載がされているが、それに限らず、基板とベース部４１、固定用雄ねじ４６によっては、上から雄ねじ部１４、抑え面１２、支持面１３、雌ねじ部１１としても良い。
【００２０】
支持面１３は、プリント配線基板を支持するものであり、プリント配線基板の一部を支えるだけの面積を有する。また、抑え面１２は、支持面１３により支持されたプリント配線基板を抑えるものであり、プリント配線基板を抑えるだけの面積を有する。抑え面１２と支持面１３の距離は、プリント配線基板の厚みぐらいがよい。これら抑え面１２と支持面１３はプリント配線基板の部品接地面と平行に設けている。
【００２１】
次に図２を用いて本発明のプリント配線基板設置用ねじを用いた組立構造について説明する。
ここでは従来と同様の番号のものは同様の構成であるので説明を省略する。
ベース部４１に、本発明の第一のプリント配線基板設置用ねじ２１と第二のプリント配線基板設置用ねじ４５を設ける。第一のプリント配線基板設置用ねじ２１は第一のプリント配線基板４２を設置する個所と、第一と第二のプリント配線基板が重なる箇所に設け、第二のプリント配線基板設置用ねじ４５は、第一と第二のプリント配線基板が重なる箇所以外の第一のプリント配線基板４２を設置する個所に設けている。
【００２２】
第二のプリント配線基板２４は、第一のプリント配線基板設置用ねじ２１に設置される箇所は、予め切り欠き部２３を設けておく。切り欠き部２３の切り欠きは支持面１３に必ず乗るように、例えば支持面１３より大きさを小さくするなどして、構成する。
【００２３】
第一のプリント配線基板４２より低い所に設置する第二のプリント配線基板２４は、第一のプリント配線基板設置用ねじ２１の支持面１３に設置する。そして、固定用雄ねじ４６で固定する。
【００２４】
支持面１３に乗っている切り欠き部２３は、同時に抑え面１２により抑えられる。つまり、支持面１３と抑え面１２により切り欠き部２３は挟まれる形となる。
【００２５】
また、ここでは２枚の基板について説明を行ったが、それに限らず、複数の基板の一部が重なる箇所を有するものであればよい。
【００２６】
【発明の効果】
以上説明したように、本発明のプリント配線基板設置用ねじとそれを利用したプリント配線基板の組み立て構造により、設置面積を減らすことが可能となり、また組み立て手順の規制を受けることが無くなった。
【００２７】
さらに、これらの構成にすることにより、部品点数を減らすことが可能となった。
【図面の簡単な説明】
【図１】本発明のプリント配線基板設置用ねじ
【図２】本発明のプリント配線基板設置用ねじを利用した組み立て構造
【図３】従来のプリント配線基板設置用ねじ
【図４】従来のプリント配線基板設置用ねじを利用した組み立て構造
【図５】従来のプリント配線基板設置用ねじを利用した組み立て構造
【符号の説明】
１１、３１…雌ねじ部　１２…抑え面　１３…支持面　１４、３２…雄ねじ部
２１、４４、４５…基板設置用ねじ　２２、４１、４２、５１…プリント基板
２３…切り欠き部
４１…ベース部　４６…固定用雄ねじ
【図１】
2004119825.tif 000003
【図２】
2004119825.tif 000004
【図３】
2004119825.tif 000005
【図４】
2004119825.tif 000006
【図５】
2004119825.tif 000007